(57)【要約】【課題】ポケットの縁やベルト等の挟持対象物を、携帯物品の表面とクリップの挟持部との間に挟持するに当たり、挟持部から携帯物品の表面に向かって働く力の大きさを調整することができるクリップ構造を提供する。【解決手段】携帯物品２０と、その表面２１で開口している雌ネジ孔２２と、雌ネジ孔に螺合している雄ネジ部４１及びネジ頭部４２を有する調整ネジ４０と、雄ネジ部が貫通している雄ネジ用孔部（長孔１７）を有するベース部１１、ベース部から延出しており表面２１から漸次離隔するように傾斜していると共に、雄ネジ部の進退に伴いネジ頭部と孔縁の一部が干渉する頭部用孔部（長孔１７）を有する傾斜部１２、傾斜部から延出して表面２１から離隔している挿入部１３、挿入部に比べて表面２１に近接している挟持部１４、及び、挟持部から先端にかけて表面２１から離隔している先端部１５を有するクリップ１０と、を具備するクリップ構造とする。【選択図】図１
2017071036.tif 000002
【特許請求の範囲】
【請求項１】
携帯物品と、
該携帯物品の表面で開口している雌ネジ孔と、
該雌ネジ孔に螺合している雄ネジ部、及びネジ頭部を有する調整ネジと、
前記雄ネジ部が貫通している雄ネジ用孔部を有するベース部、該ベース部から延出しており前記表面から漸次離隔するように傾斜していると共に、前記雄ネジ部の進退に伴い前記ネジ頭部と孔縁の一部が干渉する頭部用孔部を有する傾斜部、該傾斜部から延出しており前記表面から離隔している挿入部、該挿入部に比べて前記表面に近接している挟持部、及び、該挟持部から先端にかけて前記表面から離隔している先端部、を有するクリップと、
を具備することを特徴とするクリップ構造。
【請求項２】
前記ベース部は、前記傾斜部とは反対の端部側を除く部分で前記表面から離隔しており、前記端部側は直接またはスペーサを介して前記表面に当接している
ことを特徴とする請求項１に記載のクリップ構造。
【請求項３】
前記クリップは、前記ベース部から前記傾斜部にかけて延びている長孔を具備し、
該長孔が前記雄ネジ用孔部と前記頭部用孔部を兼ねている
ことを特徴とする請求項１または請求項２に記載のクリップ構造。
【請求項４】
前記携帯物品は、刃体が柄部に対して枢軸周りに回動する折り畳みナイフであり、
前記雌ネジ孔は前記枢軸の内部に位置している
ことを特徴とする請求項１乃至請求項３の何れか一つに記載のクリップ構造。
【発明の詳細な説明】
【技術分野】
【０００１】
本発明は、ポケットの縁やベルト等を挟み込んで物品を保持させるクリップ構造に関するものである。
【背景技術】
【０００２】
ポケットナイフ（折り畳みナイフ）、ペンライト、携帯電話用ケース等の物品には、ポケットやベルト等に保持させて携帯するために、板バネ式のクリップを備えているものがある。
【０００３】
このクリップは、一般的に、携帯物品の表面（以下、「表面」と称することがある）にビス留めや接着によって固定されるベース部と、ベース部から延出して表面から離隔しており、表面との間の空隙にポケットの縁やベルト等の挟持対象物を挿入させる挿入部と、挿入部より表面に近接しており、表面との間で挟持対象物を挟持する挟持部と、挟持部より先端にかけて表面から離隔しており、挟持部を介して挿入部と表面との間に挟持対象物を挿入する際にクリップを弾性変形させるための先端部とを備えている。
【０００４】
このような構成により、次のように、携帯物品の表面とクリップとで挟持対象物を挟持することができる。まず、先端部を挟持対象物に引掛けるように、先端部と表面との間に挟持対象物を差し入れてから、挟持対象物をベース部に近づけるように携帯物品を相対的に移動させる。これにより、クリップが弾性変形して挟持部と表面との間の空隙が広がって、挟持対象物はここを通過し、挿入部と表面との間の空隙に進入する。その後、クリップの戻り変形によって挟持部は再び表面に接近するため、挟持部と表面との間に挟まれた挟持対象物は、挟持部によって表面に向かって圧接され保持される。
【０００５】
しかしながら、従来の上記クリップでは、挟持部と表面との間の距離が挟持対象物の厚さに対して大き過ぎる場合や、携帯物品が重いのに対してクリップの弾性率が低い場合に、挟持部が挟持対象物を表面に圧接する力が小さ過ぎ、保持が不十分となることがあった。また、挟持部と表面との距離が挟持対象物の厚さに対して小さ過ぎる場合や、クリップの弾性率が高過ぎる場合に、挟持部が表面を押圧するように働く力が大き過ぎ、挟持対象物を挟持できないことがあった。
【先行技術文献】
【特許文献】
【０００６】
【特許文献１】特許第３５２９１３６号公報
【特許文献２】特許第２９７２６２２号公報
【発明の概要】
【発明が解決しようとする課題】
【０００７】
そこで、本発明は上記の実情に鑑み、ポケットの縁やベルト等の挟持対象物を、携帯物品の表面とクリップの挟持部との間に挟持するクリップ構造であり、挟持部から携帯物品の表面に向かって働く力の大きさを調整することができるクリップ構造の提供を、課題とするものである。
【課題を解決するための手段】
【０００８】
上記の課題を解決するため、本発明にかかるクリップ構造は、
「携帯物品と、
該携帯物品の表面で開口している雌ネジ孔と、
該雌ネジ孔に螺合している雄ネジ部、及びネジ頭部を有する調整ネジと、
前記雄ネジ部が貫通している雄ネジ用孔部を有するベース部、該ベース部から延出しており前記表面から漸次離隔するように傾斜していると共に、前記雄ネジ部の進退に伴い前記ネジ頭部と孔縁の一部が干渉する頭部用孔部を有する傾斜部、該傾斜部から延出しており前記表面から離隔している挿入部、該挿入部に比べて前記表面に近接している挟持部、及び、該挟持部から先端にかけて前記表面から離隔している先端部、を有するクリップと、を具備する」ものである。
【０００９】
「携帯物品」は、衣服のポケット、ウエストポーチ等のバッグのポケット、腰に装着する道具入れのポケット、腰に巻くベルト、肩から脇にかけて装着するベルト等に保持させて携帯する物品であり、折り畳みナイフ、刃体を覆うケース付きのナイフ、ペンライト、ボイスレコーダー、携帯電話またはそのケース、携帯情報端末またはそのケース、携帯型音楽プレーヤーまたはそのケース、歩数計、万年筆やボールペン等の筆記具、を例示することができる。
【００１０】
本構成により、従来の上記クリップ構造と同様に、ポケットの縁やベルト等の挟持対象物を、携帯物品の表面とクリップとで挟持することができる。つまり、先端部と表面との間に挟持対象物を差し入れてから、挟持対象物をベース部に近づけるように携帯物品を相対的に移動させることにより、クリップが弾性変形して挟持部と表面との間の空隙が広がって挟持対象物はここを通過し、挿入部と表面との間の空隙に進入する。その後、クリップの戻り変形によって挟持部が再び表面に接近することにより、挟持部と表面との間で挟持対象物は挟持部によって表面に圧接され、保持される。
【００１１】
そして、調整ネジを螺進または螺退させることにより、挟持部から携帯物品の表面に向かって働く力の大きさを調整することができる。すなわち、調整ネジを螺進させてネジ頭部を携帯物品の表面に近づけると、頭部用孔部の孔縁の一部とネジ頭部が干渉することにより、頭部用孔部が貫設されている傾斜部が物品表面に向かって押される。これにより、クリップが撓んで挟持部が表面に向かって押されるため、挟持部から携帯物品の表面に向かって働く力を増加させることができる。逆に、調整ネジを螺退させてネジ頭部を携帯物品の表面から遠ざけると、ネジ頭部が傾斜部を押圧する力が弱まり、或いは、ネジ頭部が頭部用孔部の孔縁と干渉することがなくなってネジ頭部が傾斜部を押圧する力がなくなるため、挟持部から携帯物品の表面に向かって働く力を減少させることができる。
【００１２】
本発明にかかるクリップ構造は、上記構成において、
「前記ベース部は、前記傾斜部とは反対の端部側を除く部分で前記表面から離隔しており、前記端部側は直接またはスペーサを介して前記表面に当接している」ものとすることができる。
【００１３】
ベース部の全体が携帯物品の表面に当接している場合、調整ネジの螺進により傾斜部に力が加えられたとき、クリップが撓む動作の支点は傾斜部とベース部との境界線上にある。これに対して、本構成では、ベース部において直接またはスペーサを介して表面と当接している「傾斜部とは反対の端部側」の部分と、表面から離隔している部分との境界線上に、クリップが撓む動作の支点があるため、力点から支点までの距離が大きくなる。これにより、調整ネジが同距離だけ螺進するときに挟持部が変位する距離を、ベース部の全体が表面に当接している場合より大きくすることができる。従って、挟持部から表面に向かって作用する力を、調整ネジの僅かな移動で調整することができる。
【００１４】
本発明にかかるクリップ構造は、上記構成に加え、
「前記クリップは、前記ベース部から前記傾斜部にかけて延びる長孔を具備し、
該長孔が前記雄ネジ用孔部と前記頭部用孔部を兼ねている」ものとすることができる。
【００１５】
本構成では、長孔のうちベース部において開口している部分に調整ネジの雄ネジ部が挿通され、長孔のうち傾斜部において開口している部分の孔縁に調整ネジのネジ頭部が干渉する。従って、雄ネジ用孔部と頭部用孔部とを別個に設ける場合より構成がシンプルであり、本構成のクリップ構造を有する携帯物品を、より簡易に製造することができる。また、傾斜部に長孔より小さい頭部用孔部が形成されている場合と比べると、傾斜部の材質や厚さが同じであれば、長孔が形成されている方が傾斜部の剛性が小さく弾性変形し易い。そのため、調整ネジの螺進による小さい力で、傾斜部を撓ませ易い長所を有している。
【００１６】
本発明にかかるクリップ構造は、上記構成において、
「前記携帯物品は、刃体が柄部に対して枢軸周りに回動する折り畳みナイフであり、
前記雌ネジ孔は前記枢軸の内部に位置している」ものとすることができる。
【００１７】
折り畳みナイフの枢軸は、刃体と柄部との両方を貫通する長さを有している。そのため、枢軸の内部に雌ネジ孔を設け、ここに調整ネジの雄ネジ部を螺合させる本構成では、雌ネジ孔を柄部において枢軸以外の部分に設け、そこに調整ネジの雄ネジ部を螺合させる場合に比べて、雌ネジ孔を深くし雄ネジ部を長くすることが可能である。これにより、調整ネジを螺進及び螺退させる際に、常に雄ネジ部の先端側が雌ネジ孔内に深く挿入されている状態としておくことができるため、調整ネジの取り付け状態を安定させることができる。
【発明の効果】
【００１８】
以上のように、本発明の効果として、ポケットの縁やベルト等の挟持対象物を、携帯物品の表面と挟持部との間に挟持するクリップ構造であり、挟持部から携帯物品の表面に向かって働く力の大きさを調整することができるクリップ構造を、提供することができる。
【図面の簡単な説明】
【００１９】
【図１】本発明の一実施形態のクリップ構造における（ａ）クリップの平面図、（ｂ）クリップの断面図、及び（ｃ），（ｄ）調整ネジによる調整の説明図である。
【図２】図１のクリップ構造の要部斜視図である。
【図３】（ａ）〜（ｃ）クリップのベース部と携帯物品の表面との関係の説明図である。
【図４】図１のクリップ構造を適用した第一の折り畳みナイフの（ａ）平面図、及び（ｂ）調整ネジを省略した平面図である。
【図５】図１のクリップ構造を適用した第二の折り畳みナイフの（ａ）平面図、及び（ｂ）調整ネジを省略した平面図である。
【図６】図１のクリップ構造を適用した第三の折り畳みナイフの（ａ）平面図、及び（ｂ）調整ネジを省略した平面図である。
【図７】図１のクリップ構造を適用した第四の折り畳みナイフの（ａ）平面図、及び（ｂ）調整ネジを省略した平面図である。
【発明を実施するための形態】
【００２０】
以下、本発明の一実施形態であるクリップ構造について図１乃至図３を用いて説明する。まず、クリップ構造の各構成を説明する。クリップ構造はその構成として、携帯物品２０と、携帯物品２０に設けられた雌ネジ孔２２と、雌ネジ孔２２と螺合する雄ネジ部４１の端部にネジ頭部４２を有する調整ネジ４０と、携帯物品２０に取り付けられたクリップ１０とを備えている。
【００２１】
ここで、クリップ１０は、金属製の細長い平板を曲げて形成されており、図１（ａ），（ｂ）に示すように、一端から他端に向かって順に、ベース部１１、ベース部１１から延出しておりベース部１１の延長面から漸次離隔するように傾斜している傾斜部１２、傾斜部１２から延出しておりベース部１１の延長面と略平行に延びている挿入部１３、挿入部１３から延出しておりベース部１１の延長面に向かって湾曲している挟持部１４、挟持部１４から延出しておりその端部がベース部１１の延長面から離隔している先端部１５、を備えている。
【００２２】
加えて、クリップ１０は、ベース部１１から傾斜部１２にかけて延びており、クリップ１０を貫通している長孔１７を具備している。この長孔１７は、ベース部１１において調整ネジ４０の雄ネジ部４１を貫通させる雄ネジ用孔部と、傾斜部１２において調整ネジ４０のネジ頭部４２と孔縁が干渉する頭部用孔部を兼ねている。
【００２３】
クリップ１０を携帯物品２０に取り付ける際は、長孔１７のうちベース部１１において開口している部分に調整ネジ４０の雄ネジ部４１を挿通し、携帯物品２０の表面２１に開口している雌ネジ孔２２に雄ネジ部４１の先端部を螺合させる。このとき、ベース部１１において傾斜部１２とは反対の端部側のみを直接またはスペーサ３１を介して表面２１に当接させ、ベース部１１におけるその他の部分は表面２１から離隔させる。これにより、図１（ｃ）及び図２に示すように、クリップ１０が携帯物品２０に取り付けられているクリップ構造が形成される。
【００２４】
すなわち、携帯物品２０と、携帯物品２０の表面２１で開口している雌ネジ孔２２と、雌ネジ孔２２に螺合している雄ネジ部４１、及びネジ頭部４２を有する調整ネジ４０と、雄ネジ部４１が貫通している雄ネジ用孔部を有するベース部１１、ベース部１１から延出しており表面２１から漸次離隔するように傾斜していると共に、雄ネジ部４１の進退に伴いネジ頭部４２と孔縁の一部が干渉する頭部用孔部を有する傾斜部１２、傾斜部１２から延出しており表面２１から離隔している挿入部１３、挿入部１３に比べて表面２１に近接している挟持部１４、及び、挟持部１４から先端にかけて表面２１から離隔している先端部１５を有するクリップ１０とを具備し、ベース部１１は、傾斜部１２とは反対の端部側を除く部分で表面２１から離隔しており、端部側は直接またはスペーサ３１を介して表面２１に当接しているクリップ構造である。
【００２５】
このような構成により、ポケットの縁やベルト等の挟持対象物を、携帯物品２０の表面２１とクリップ１０とで挟持することができる。つまり、先端部１５と表面２１との間に挟持対象物を差し入れてから、挟持対象物をベース部１１に近づけるように携帯物品２０を相対的に移動させることにより、クリップ１０が弾性変形して挟持部１４と表面２１との間の空隙が広がって挟持対象物はここを通過し、挿入部１３と表面２１との間の空隙に進入する。その後、クリップ１０の戻り変形によって挟持部１４が再び表面２１に接近することにより、挟持部１４と表面２１との間で挟持対象物は挟持部１４によって表面２１に圧接され、保持される。
【００２６】
そして、調整ネジ４０を螺進または螺退させることにより、挟持部１４から表面２１に向かって働く力の大きさを調整することができる。例えば、調整ネジ４０を螺進させてネジ頭部４２を表面２１に近づけると、ネジ頭部４２が傾斜部１２における長孔１７の孔縁の一部と干渉することにより、傾斜部１２が表面２１に向かって押される。これにより、図１（ｄ）に示すように、クリップ１０が撓んで挟持部１４が表面２１に押し付けられるため、挟持部１４から表面２１に向かって働く力を増加させることができる。
【００２７】
従って、ポケットの縁やベルトなど挟持対象物の厚さが薄い場合は、このように調整ネジ４０の螺進により挟持部１４を表面２１に近づけることにより、挟持部１４と表面２１との間の空隙を介して挟持対象物が抜け落ちるおそれを低減することができる。また、携帯物品２０の質量が大きい場合も、調整ネジ４０の螺進により挟持部１４を表面２１に押し付ける。これにより、挟持部１４が挟持対象物を表面２１に向かって圧接させる力が増すため、携帯物品２０に作用する重力によって挟持部１４を挟持対象物から引き離すように作用する力に抗して、より安定的に挟持対象物を挟持することができる。
【００２８】
ここで、ネジ頭部４２から傾斜部１２に加えられる力によってクリップ１０が撓む動作の支点は、ベース部１１において表面２１から離隔している部分（以下、「非当接部」と称する）の最も端部側（図１（ｃ）において、Ａ）にある。仮に、ベース部１１の全面が表面２１に当接していると、図３（ａ）に示すように、クリップ１０が撓む動作の支点は、傾斜部１２とベース部１１との境界線上（図示、Ｂ）にある。従って、本実施形態のように、ベース部１１において傾斜部１２とは反対の端部側を除き「非当接部」とした場合は、ベース部１１の全面を表面２１に当接させた場合に比べ、ネジ頭部４２から傾斜部１２に力が加えられる力点からクリップ１０が撓む動作の支点までの距離が長い。従って、調整ネジ４０の螺進に伴い挟持部１４が変位する距離を大きくすることができ、挟持部１４から表面２１に向かって作用する力を、調整ネジ４０の僅かな移動で調整することができる。
【００２９】
一方、調整ネジ４０を螺退させてネジ頭部４２を表面２１から遠ざけると、ネジ頭部４２が傾斜部１２を押圧する力が弱まる。或いは、ネジ頭部４２が長孔１７の孔縁と干渉することがなくなり、ネジ頭部４２が傾斜部１２を押圧する力がなくなる。これにより、挟持部１４から表面２１に向かって働く力を減少させることができる。例えば、挟持対象物の厚さが大きく、クリップ１０の弾性変形によっても、挟持部１４と表面２１との間に挟持対象物が通過可能な空隙ができない場合は、調整ネジ４０の螺退により挟持部１４が表面２１を押圧する力を減少させ、或いは、挟持部１４と表面２１との間の距離を広げるよう調整する。
【００３０】
ネジ頭部４２から傾斜部１２に力を加えるに当たり、単に傾斜部１２の表面をネジ頭部４２で押すのではなく、傾斜部１２に設けられた孔部（ここでは長孔１７）の孔縁にネジ頭部４２を干渉させている。これにより、調整ネジ４０をある距離だけ螺進または螺退させた状態は、調整ネジ４０に小さな力が作用した程度では変動しないため、挟持部１４から表面２１に向かって作用する力が調整された状態が維持され易い。特に、本実施形態では、図示したように、調整ネジ４０としてネジ頭部４２の側周面に縦目ローレット加工が施されたネジを使用している。そのため、ネジ頭部４２の側周面の凹凸が長孔１７の孔縁に引掛り易く、ネジ頭部４２が孔縁と干渉している状態が安定する。ここで、ローレット加工の縦目のピッチは、ネジ頭部４２の側周面において孔縁と当接している二点間の円弧の距離を整数で除した長さと一致させれば、ネジ頭部４２の側周面の凹凸が二点で長孔１７の孔縁に引掛り易いため、望ましい。なお、ネジ頭部４２の側周面にローレット加工が施されていることにより、手操作でネジ頭部４２を回し易く、調整のために工具を必要としない利点も有している。
【００３１】
図１（ｃ），（ｄ）及び図２では、クリップ１０のベース部１１に「非当接部」を形成するために、傾斜部１２とは反対の端部側と表面２１との間にスペーサ３１を介在させている場合を、例示している。このようなスペーサ３１は、例えば、ベース部１１を表面２１に留め付けるビス１１ｐ（図２参照）を挿通させたワッシャで構成させることができる。
【００３２】
また、ベース部１１において傾斜部１２とは反対の端部側を除き「非当接部」とする手段としては、上記のようにスペーサ３１を介在させる他、図３（ｂ）に例示するように、ベース部１１の端部を表面２１側に屈曲させることにより突出部１１ｂとする手段を挙げることができる。または、ベース部１１の端部のみを肉厚にして突出部としてもよいし、ベース部１１に止めネジ用の孔部を穿孔するに当たり、孔縁に沿ってバリを大きく突出させて突出部としてもよい。或いは、図３（ｃ）に示すように、携帯物品２０の表面２１において、傾斜部１２の下方から雌ネジ孔２２の孔縁の近傍にかけて凹部２３を形成することにより、ベース部１１に「非当接部」を形成することもできる。
【００３３】
次に、本実施形態のクリップ構造を適用した携帯物品２０が、第一〜第四の折り畳みナイフ１，２，３，４である場合について説明する。折り畳みナイフ１，２，３，４は、何れも刃体５０が柄部５１に対して枢軸５２周りに回動するものであり、一対の柄部５１の間の空隙に刃体５０が収容される。クリップ１０は、一対の柄部５１の一方の表面に取り付けられる。すなわち、一対の柄部５１の一方の表面が、本発明の「携帯物品の表面」に相当する。
【００３４】
折り畳みナイフ１，２，３，４は、調整ネジ４０と枢軸５２との位置関係において相違している。第一の折り畳みナイフ１は、図４に示すように、枢軸５２のごく近傍にベース部１１を位置させた例である。この例では、ベース部１１を略Ｖ字状とし、その間で枢軸５２を露出させている。このような構成は、柄部５１が比較的大型で表面のスペースに余裕がある場合や、枢軸５２の締め付け具合の調整をしたい場合に適している。
【００３５】
第二の折り畳みナイフ２は、図５に示すように、枢軸５２の上方に傾斜部１２を位置させた例である。このような構成は、柄部５１が比較的小型で表面のスペースに余裕が少ない場合に適している。
【００３６】
第三の折り畳みナイフ３は、図６に示すように、雌ネジ孔２２を枢軸５２の内部に位置させ、枢軸５２と調整ネジ４０を同心とした例である。枢軸５２は、刃体５０及び一対の柄部５１を貫通する長さを有しているため、上記の折り畳みナイフ１，２のように、柄部５１における枢軸５２以外の部分に雌ネジ孔２２を設け、そこに雄ネジ部４１を螺合させる場合に比べて、雌ネジ孔２２は深く形成されており、これに応じて雄ネジ部４１も長い。これにより、調整ネジ４０を螺進及び螺退させる際に、常に雄ネジ部４１の先端側が雌ネジ孔２２内に深く挿入されているため、調整ネジ４０の取り付け状態が安定している。
【００３７】
第四の折り畳みナイフ４は、図７に示すように、柄部５１において枢軸５２が貫通している端部側とは反対側の端部側に、クリップ１０のベース部１１及び調整ネジ４０が取り付けられている例である。調整ネジ４０の位置を、折り畳まれた刃体５０と干渉しない位置とすれば、雌ネジ孔２２の深さを一対の柄部５１間に亘る長さとすることが可能である。その場合は、折り畳みナイフ３と同様に、深い雌ネジ孔２２に対応させて雄ネジ部４１を長くすることができ、調整ネジ４０の取り付け状態を安定させることができる。
【００３８】
以上のように、本実施形態のクリップ構造によれば、調整ネジ４０を螺進または螺退させるのみの操作で、クリップ１０の挟持部１４から携帯物品２０の表面２１に向かって働く力の大きさを容易に調整することができる。
【００３９】
また、調整ネジ４０のネジ頭部４２を、傾斜部１２に設けられた孔部の孔縁と干渉させているため、ネジ頭部４２によって傾斜部１２に力が加えられている状態を維持し易い。加えて、ネジ頭部４２の側周面に縦目ローレット加工を施しているため、ネジ頭部４２が孔縁と干渉している状態を維持し易い。
【００４０】
更に、長孔１７が雄ネジ用孔部と頭部用孔部を兼ねているため、クリップ１０の構成が簡易であり、製造が簡易である。
【００４１】
加えて、ベース部１１において傾斜部１２側が非当接部であることにより、クリップ１０が撓む動作の支点が力点から離れている。これにより、挟持部１４から表面２１に向かって作用する力を、調整ネジ４０の僅かな移動で調整することができる。
【００４２】
以上、好適な実施形態を挙げて説明したが、本発明は上記の実施形態に限定されるものではなく、以下に示すように、本発明の要旨を逸脱しない範囲において、種々の改良及び設計の変更が可能である。
【００４３】
例えば、上記の実施形態では、長孔が雄ネジ用孔部と頭部用孔部を兼ねている場合を例示したが、これに限定されず、ベース部の雄ネジ孔部と傾斜部の頭部用孔部を別個に設けることができる。また、頭部用孔部は、孔縁の一部がネジ頭部と干渉するものであれば、傾斜部を貫通している必要はなく、凹状の孔部とすることができる。
【００４４】
また、上記の実施形態では、クリップにおいて傾斜部から挿入部が延出し、挿入部から挟持部が延出し、挟持部から先端部が延出している構成を例示したが、このような構成に限定されず、挟持部は挿入部より携帯物品の表面に近接していればよく、先端部は挟持部から先端にかけて携帯物品の表面から離隔していればよい。例えば、傾斜部から延出して携帯物品の表面から離隔している離隔部を有し、突部が離隔部の中途から携帯物品の表面に向かって突出している構成でもよい。その場合、離隔部において突部より傾斜部側の部分が挿入部に相当し、突部が挟持部に相当し、離隔部において突部より先端側の部分が先端部に相当する。
【００４５】
更に、クリップが金属製である場合を例示したが、クリップの材質は弾性部材であれば特に限定されない。例えば、ガラス繊維やカーボン繊維で強化された繊維強化プラスチックなど樹脂製のクリップとすることができる。また、クリップは単一の材料で形成されている必要はなく、異素材を組み合わせてなるものとすることができる。例えば、上記のように突部が挟持部を構成する場合、突部を他の部分と異素材としてデザインのアクセントとすることができる。
【００４６】
加えて、上記では、調整ネジのネジ頭部の側周面にローレット加工が施されていることにより、傾斜部において孔縁にネジ頭部が引掛かり易く望ましいと述べた。しかしながら、孔縁と引掛かり易くするための手段はローレット加工に限定されず、例えば、ネジ頭部の下面から側周面の下部にかけて凹凸を設けても、同様の作用を得ることができる。更に、頭部用孔部の孔縁に沿って、バリ状に立ち上がる部分を設けることによっても、調整ネジのネジ頭部が孔縁に引掛かり易いものとすることができる。
【００４７】
また、上記では、ベース部の端部が、携帯物品において挿入部と対面する表面に直接または間接に当接している場合を例示したが、これに限定されず、ベース部の端部は携帯物品の側面に取り付けられていてもよい。
【符号の説明】
【００４８】
１，２，３，４  折り畳みナイフ（携帯物品）
１０  クリップ
１１  ベース部
１２  傾斜部
１３  挿入部
１４  挟持部
１５  先端部
１７  長孔（雄ネジ用孔部、頭部用孔部）
２０  携帯物品
２１  表面（携帯物品の表面）
２２  雌ネジ孔
４０  調整ネジ
４１  雄ネジ部
４２  ネジ頭部
５０  刃体
５１  柄部
５２  枢軸
【図１】
2017071036.tif 000003
【図２】
2017071036.tif 000004
【図３】
2017071036.tif 000005
【図４】
2017071036.tif 000006
【図５】
2017071036.tif 000007
【図６】
2017071036.tif 000008
【図７】
2017071036.tif 000009